(57)【要約】      （修正有）【課題】係合凸部を有する第１の部材を前記係合凸部が挿入される受け部を有する第２の部材に取り付ける部材の取付構造において、係合凸部と受け部との間でのがたつきを発生しにくくする。【解決手段】係合凸部たる第１、第２の取付爪４２、４３を有する第１の部材たる仕切り板４を第１、第２の取付爪４２、４３が挿入される受け部たる前スリット２１ａ、後スリット２１ｂを有する第２の部材たる棚板、及び前記受け部たる上スリット３１ａ、下スリット３１ｂを有する第２の部材たる背板に取り付ける部材の取付構造であって、取付爪４２、４３をスリット２１ａ、２１ｂ、３１ａ、３１ｂに挿入した際に、仕切り板４の弾性変形により複数箇所に摩擦力が生じる部材の取付構造を採用する。【選択図】図３
2012095915.tif 000002
【特許請求の範囲】
【請求項１】
係合凸部を有する第１の部材を前記係合凸部が挿入される受け部を有する第２の部材に取り付ける部材の取付構造であって、
前記係合凸部を前記受け部に挿入した際に、前記第１の部材の弾性変形により複数箇所に摩擦力が生じることを特徴とする部材の取付構造。
【請求項２】
前記係合凸部の中心線と、前記受け部の中心線とを異ならせている請求項１記載の部材の取付構造。
【請求項３】
前記第１の部材が前記第２の部材に対して挿抜可能である請求項１又は２記載の部材の取付構造。
【請求項４】
前記係合凸部が平板状の係合爪であるとともに、前記受け部が直線状のスリットである請求項１、２又は３記載の部材の取付構造。
【請求項５】
収納空間を有する家具に用いられるものであって、前記第２の部材がその上面の上方に前記収納空間を形成する棚板及びその前方に前記収納空間を形成する背板であるとともに、前記第１の部材が前記棚板上の空間を区画する仕切り板である請求項１、２、３又は４記載の部材の取付構造。
【請求項６】
前記係合凸部に、この係合凸部を前記受け部に挿入する際に該係合凸部の進行方向をガイドするためのガイド部を設けている請求項１、２、３、４又は５記載の部材の取付構造。
【発明の詳細な説明】
【技術分野】
【０００１】
本発明は、係合凸部を有する第１の部材を前記係合凸部が挿入される受け部を有する第２の部材に取り付ける部材の取付構造に関する。
【背景技術】
【０００２】
従来より、第１の部材を第２の部材に取り付けるための構造として、第１の部材に係合凸部を設けるとともに、第２の部材に前記係合凸部が挿入される受け部を設け、前記係合凸部を前記受け部に挿入して係合させる構成が広く用いられている（例えば、特許文献１を参照）。
【０００３】
このような構成において、従来は、係合凸部を平板状とした場合、受け部の幅寸法を係合凸部の厚さ寸法よりも大きくするとともに、係合凸部の延伸方向と受け部の延伸方向とを一致させるようにしていた。
【０００４】
ところが、前段で述べたような構成では、係合凸部を受け部に挿入して係合させた際、係合凸部と受け部との間に隙間が存在するので、特にこのような部材の取付構造を採用した家具等を移動させた際にがたつきが発生するという問題があった。
【先行技術文献】
【特許文献】
【０００５】
【特許文献１】特開２００６−６１２００号公報
【発明の概要】
【発明が解決しようとする課題】
【０００６】
本発明は以上の点に着目し、係合凸部と受け部との間でのがたつきが発生しにくい部材の取付構造を実現することを目的とする。
【課題を解決するための手段】
【０００７】
すなわち本発明に係る部材の取付構造は、係合凸部を有する第１の部材を前記係合凸部が挿入される受け部を有する第２の部材に取り付ける部材の取付構造であって、前記係合凸部を前記受け部に挿入した際に、前記第１の部材の弾性変形により複数箇所に摩擦力が生じることを特徴とする。
【０００８】
このようなものであれば、係合凸部と受け部との間の複数箇所に摩擦力を生じさせることにより、これらの間のがたつきの発生を防ぐことができる。
【０００９】
係合凸部と受け部との間に摩擦力を生じさせるための具体的な構成の一例として、前記係合凸部の中心線と、前記受け部の中心線とを異ならせているものが挙げられる。
【００１０】
このような部材の取付構造による効果を好適に得ることができる構成の一例として、前記第１の部材が前記第２の部材に対して挿抜可能であるものが挙げられる。
【００１１】
このような部材の取付構造を容易に実現できる構成の一例として、前記係合凸部が平板状の係合爪であるとともに、前記受け部が直線状のスリットであるものが挙げられる。
【００１２】
このような部材の取付構造の好適な使用の態様の一例として、収納空間を有する家具に用いられるものであって、前記第２の部材がその上面の上方に前記収納空間を形成する棚板及びその前方に前記収納空間を形成する背板であるとともに、前記第１の部材が前記棚板上の空間を区画する仕切り板であるものが挙げられる。
【００１３】
そして、このような部材の取付構造において、係合凸部を受け部にスムーズに挿入できるようにするための構成の一例として、前記係合凸部に、この係合凸部を前記受け部に挿入する際に該係合凸部の進行方向をガイドするためのガイド部を設けているものが挙げられる。
【発明の効果】
【００１４】
本発明によれば、第１の部材の弾性変形を利用して係合凸部と受け部との間の複数箇所に摩擦力を発生させることにより、係合凸部と受け部との間でのがたつきが発生しにくい部材の取付構造を実現することができる。
【図面の簡単な説明】
【００１５】
【図１】本発明の一実施形態に係るワゴンを示す斜視図。
【図２】同実施形態に係るワゴンを示す斜視図。
【図３】同実施形態に係るワゴンの要部を示す側断面図。
【図４】同実施形態に係るワゴンの棚板を示す平面図。
【図５】同実施形態に係るワゴンの棚板の要部を拡大して示す図。
【図６】同実施形態に係るワゴンの背板を示す正面図。
【図７】同実施形態に係るワゴンの背板の要部を拡大して示す図。
【発明を実施するための形態】
【００１６】
本発明の一実施形態を図１〜図７を参照しつつ以下に述べる。
【００１７】
本実施形態に係るワゴンＷは、図１及び図２に示すように、左右一対の枠構造体１と、これら枠構造体１間に架設してなる棚板２と、この棚板２の後端から起立し前記枠構造体１間に架設してなる背板３と、これら棚板２及び背板３に取り付けてなる仕切り板４とを備えている。
【００１８】
前記枠構造体１は、図１及び図２に示すように、前端に位置する前支柱１１１、この前支柱１１１の後方に位置する後支柱１１２、前記前支柱１１１の上端と前記後支柱１１２の上端とを接続する上横架材１１３、及び前記前支柱１１１の下部と前記後支柱１１２の下部とを接続する下横架材１１４を有する門形の枠体１１と、この枠体１１の下端部に設けたキャスタ１２とを備えている。本実施形態では、前記枠体１１の前支柱１１１、後支柱１１２、及び上横架材１１３は、角パイプを屈曲させて一体に形成している。そして、左右の枠構造体１の前支柱１１１間に前記棚板２を架設することにより、棚板２上の空間を、物品を収納するための収納空間としている。
【００１９】
前記棚板２は、図１〜図５に示すように、前端部を前記枠構造体１の前支柱１１１に支持させてなる棚板本体２１と、この棚板本体２１の左右両側縁から垂下させて設けた側枠部２２と、前記棚板本体２１の前端部を下方に折り返して形成した前折り返し部２３と、前記棚板本体２１の後端部を下方に折り返して形成した後折り返し部２４とを備えている。前記棚板本体２１には、仕切り板４の第１の取付爪４２と係合可能な受け部たる前スリット２１ａ及び後スリット２１ｂを設けている。これら前スリット２１ａ及び後スリット２１ｂは前後に対をなして設けている長方形のものである。また、図５に示すように、前スリット２１ａの幅方向中心線Ｌ１１と、該前スリット２１ａと対をなす後スリット２１ｂの幅方向中心線Ｌ１２とは、幅方向中心線が同一直線状にないように配している。より具体的には、対をなす前スリット２１ａの幅方向中心線Ｌ１１及び後スリット２１ｂの幅方向中心線Ｌ１２が略ハの字状をなすようにこれら前スリット２１ａ及び後スリット２１ｂを配している。また、前記後折り返し部２４を前記背板３の下端に設けた後述する棚板受部３４に係合させ、接続部材によりこれらを結合することにより、この棚板２と前記背板３とを接続するようにしている。
【００２０】
前記背板３は、図１〜図３、図６、及び図７に示すように、上端部を枠構造体１の後支柱１１２に支持させてなる背板本体３１と、この背板本体３１の左右両側縁から後方に突出させて設けた側枠部３２と、前記背板本体３１の上端部を後方に折り返して形成した上折り返し部３３と、前記背板本体３１の下端部を前方に折り返して形成した棚板受部３４とを備えている。前記背板本体３１には、仕切り板４の第２の取付爪４３と係合可能な受け部たる上スリット３１ａ及び下スリット３１ｂを設けている。これら上スリット３１ａ及び下スリット３１ｂは上下に対をなして設けている長方形のものである。また、図７に示すように、上スリット３１ａの幅方向中心線Ｌ２１と、該上スリット３１ａと対をなす下スリット３１ｂの幅方向中心線Ｌ２２とは、幅方向中心線が同一直線状にないように配している。より具体的には、対をなす上スリット３１ａの幅方向中心線Ｌ２１及び下スリット３１ｂの幅方向中心線Ｌ２２が略ハの字状をなすようにこれら上スリット３１ａ及び下スリット３１ｂを配している。前段で述べたように、この棚板受部３４に棚板２の後折り返し部２４を係合させ、接続部材５によりこれらを結合することにより、この棚板２と前記背板３とを接続するようにしている。
【００２１】
前記仕切り板４は、本実施形態では１枚の金属板を切断加工することにより形成している。すなわち、この仕切り板４は、その全体が平板状である。また、この仕切り板４は、図３に示すように、略矩形状をなす仕切り板本体４１と、この仕切り板本体４１から下方に突出し棚板２の前スリット２１ａ及び後スリット２１ｂとそれぞれ係合する第１の係合凸部かつ係合爪たる前後１対の第１の取付爪４２と、前記仕切り板本体４１から後方に突出し背板３の上スリット３１ａ及び下スリット３１ｂとそれぞれ係合する第２の係合凸部かつ係合爪たる上下１対の第２の取付爪４３とを有する。前記第１の取付爪４２は、その側断面形状が長方形状であり、図３に示すように、その前端縁を、上方に向かうにつれ前方に傾斜するガイド部４２ａとして形成している。また、図５の想像線に示すように、上下の第１の取付爪４２は同一平面上に位置し、その中心線Ｌ１３、Ｌ１４は、同一直線上である。一方、前記第２の取付爪４３も、その側断面形状が長方形状であり、図３に示すように、その上端縁を、前方に向かうにつれ上方に傾斜するガイド部４３ａとして形成している。ここで、前スリット２１ａ及び後スリット２１ｂの幅寸法は、第１の取付爪４２の厚さ寸法よりも大きくしている。また、前スリット２１ａ及び後スリット２１ｂの長手寸法は、第１の取付爪４２の側断面の長手寸法よりも大きくしている。また、上スリット３１ａ及び下スリット３１ｂの幅寸法は、第２の取付爪４３の厚さ寸法よりも大きくしている。そして、上スリット３１ａ及び下スリット３１ｂの長手寸法は、第１の取付爪４２の側断面の長手寸法よりも大きくしている。一方、図７の想像線に示すように、上下の第２の取付爪４３も同一平面上に位置し、その中心線Ｌ２３、Ｌ２４は、同一直線上である。そして、この仕切り板４の第１の取付爪４２を棚板２の前スリット２１ａ及び後スリット２１ｂに、また、第２の取付爪４３を背板３の上スリット３１ａ及び下スリット３１ｂにそれぞれ係合させると、第１の取付爪４２及び第２の取付爪４３は前述したように全て同一平面上に位置しているのに対して、棚板２の前スリット２１ａの幅方向中心線Ｌ１１と後スリット２１ｂの幅方向中心線Ｌ１２とは同一直線上になく、また、背板３の上スリット３１ａの幅方向中心線Ｌ２１と下スリット３１ｂの幅方向中心線Ｌ２２とも同一直線上にない。そして、前記仕切り板４に何ら作用を加えず、前記前スリット２１ａ及び後スリット２１ｂの中心を結んだ線上に第１の取付爪４２の中心線Ｌ１３、Ｌ１４を配した際には、図５に示すように、第１の取付爪４２の一部は平面視前スリット２１ａ及び後スリット２１ｂの外に位置し、さらに、図７に示すように、第２の取付爪４３の一部は平面視上スリット３１ａ及び下スリット３１ｂの外に位置することから、この仕切り板４の第１の取付爪４２及び第２の取付爪４３は弾性変形し、第１の取付爪４２と前スリット２１ａ及び後スリット２１ｂとの間、及び第２の取付爪４３と上スリット３１ａ及び下スリット３１ｂとの間でそれぞれ摩擦力を発生させる。
【００２２】
前記仕切り板４を前記棚板２及び前記背板３に取り付ける際の手順の一例を以下に示す。まず、仕切り板４を弾性変形させ、前後の第１の取付爪４２の前端縁をそれぞれ棚板２の前スリット２１ａ及び後スリット２１ｂの前端縁に衝き当てる。次いで、第１の取付爪４２のガイド部４２ａを棚板２の前スリット２１ａ及び後スリット２１ｂの前端縁に衝き当てた状態を保ちつつ仕切り板４を後方に移動させる。その後、上下の第２の取付爪４３のガイド部４３ａをそれぞれ背板３の上スリット３１ａ及び下スリット３１ｂに衝き当て、仕切り板４を後下方に移動させる。
【００２３】
すると、前スリット２１ａと第１の取付爪４２とは、第１の取付爪４２の一方の面の前端及び他方の面の後端で接触し、仕切り板４が弾性復帰しようとする際の弾性力によりこれら２箇所に強い摩擦力が発生する。また、後スリット２１ｂと第１の取付爪４２との間でも同様に、仕切り板４が弾性復帰しようとする際の弾性力により、第１の取付爪４２の一方の面の前端及び他方の面の後端の２箇所に強い摩擦力が発生する。
【００２４】
さらに、上スリット３１ａと第２の取付爪４３とは、第２の取付爪４３の一方の面の上端及び他方の面の下端で接触し、仕切り板４が弾性復帰しようとする際の弾性力によりこれら２箇所に強い摩擦力が発生する。そして、下スリット３１ｂと第２の取付爪４３との間でも同様に、仕切り板４が弾性復帰しようとする際の弾性力により、第２の取付爪４３の一方の面の上端及び他方の面の下端の２箇所に強い摩擦力が発生する。
【００２５】
以上に述べたように、本実施形態に係る部材の取付構造によれば、前スリット２１ａと第１の取付爪４２の間、後スリット２１ａと第１の取付爪４２との間、上スリット３１ａと第２の取付爪４３との間、及び下スリット３１ｂと第２の取付爪４３との間において、それぞれ複数箇所に摩擦力を生じさせることができる。従って、第１の取付爪４２を設けた仕切り板４と前スリット２１ａ及び後スリット２１ａを設けた棚板２との間のがたつきの発生、及び、第２の取付爪４３を設けた仕切り板４と上スリット３１ａ及び下スリット３１ａを設けた背板３との間のがたつきの発生を防ぐことができる。
【００２６】
また、本実施形態では、前記第１の取付爪４２の中心線と、前記前スリット２１ａ及び後スリット２１ｂの中心線とを異ならせているとともに、前記第２の取付爪４３の中心線と、前記上スリット３１ａ及び下スリット３１ｂの中心線とを異ならせているので、簡単な構成により第１、第２の取付爪４２、４３と各スリット２１ａ、２１ｂ、３１ａ、３１ｂとの間に摩擦力を生じさせることができる。
【００２７】
さらに、前記第１、第２の取付爪４２、４３が平板状であるとともに、前記各スリット２１ａ、２１ｂ、３１ａ、３１ｂがいずれも直線状であるので、この点からも簡単な構成でこのような部材の取付構造を容易に実現できる。その上、前記各スリット２１ａ、２１ｂ、３１ａ、３１ｂはいずれも単純な直線状であるので棚板２又は背板３の左右端縁に近い位置まで設けることができ、その一方で前記仕切り板４の全体すなわち仕切り板本体４１、第１の取付爪４２及び第２の取付爪４３が平板状であって左右の幅寸法が小さいので、仕切り板４を収納空間の左右両側端を区画する側板としても使用でき、しかも側板として使用する仕切り板４を棚板２及び背板３にがたなく取り付けることができる。
【００２８】
加えて、前記仕切り板４が前記棚板２及び前記背板３に対して挿抜可能であるので、棚板２上の空間の区画を変更可能にしつつ、仕切り板４を容易に、かつがたなく前記棚板２及び前記背板３に取り付けるようにすることができる。
【００２９】
そして、前記第１の取付爪４２の前端縁及び第２の取付爪４３の上端縁を、これら第１、第２の取付爪４２、４３を前記２１ａ、２１ｂ、３１ａ、３１ｂに挿入する際に該取付爪４２、４３の進行方向をガイドするためのガイド部４２ａ、４３ａとしているので、第１、第２の取付爪４２、４３を各スリット２１ａ、２１ｂ、３１ａ、３１ｂにスムーズに挿入することができる。
【００３０】
なお、本発明は以上に述べた実施形態に限らない。
【００３１】
例えば、上述した実施形態では、係合凸部に平板状の複数の係合爪を、また、受け部に直線状の複数のスリットをそれぞれ採用した上で、スリットの中心線を互いに異なるものとすることにより、これら係合爪とスリットとを係合させた際に係合爪を設けた部材である仕切り板が弾性変形するようにしているが、このような態様以外に、係合凸部たる平板状の係合爪と受け部たる円弧状のスリットとを係合させる態様や、係合凸部たる側面視円弧状の係合爪と受け部たる直線状のスリットとを係合させる態様を採用してもよい。さらに、係合凸部たるＶ字状の係合爪と受け部たる直線状のスリットとを係合させる態様や、係合凸部たる平板状の係合爪と受け部たるＶ字状のスリットとを係合させる態様を採用してもよい。これらのような態様であっても、スリットとを係合させた際に係合爪を設けた部材である仕切り板が弾性変形し、円弧状又はＶ字状をなす係合爪又はスリットの長手方向両端部及び中間部に摩擦力を発生させることができる。なお、「Ｖ字状」とは、長手方向中間部に屈曲部を有するとともに、この屈曲部の長手方向両側からそれぞれ異なる方向に直線的に延びる２つの部位を有するもの全般を示す概念である。
【００３２】
また、上述した実施形態では複数の受け部たる直線状のスリットの中心線がそれぞれ異なる方向に延伸する態様を採用しているが、複数のスリットの中心線が同一方向に延伸するが同一直線状にはない態様を採用してもよく、また、複数のスリットの中心線が同一直線状にあるがこれらスリットにそれぞれ係合させるべき複数の係合爪のうち少なくとも１つが他の係合爪と同一平面上にない態様を採用してもよい。このような態様であっても、係合爪とスリットとを係合させた際に係合爪を設けた部材である仕切り板が弾性変形し、複数の係合爪とスリットとの間にそれぞれ摩擦力を発生させることができる。加えて、上述した実施形態では、対をなす２つのスリットの幅方向中心線が略ハの字状をなすようにこれら２つのスリットを配しているが、ハの字の開口方向は上述した実施形態のように第２の部材すなわち棚板または背板の幅方向中央に向かう方向と反対方向であってもよく、また、棚板または背板の幅方向中央に向かう方向であってもよい。もちろん、第２の部材の幅方向中央に対をなす２つのスリットを幅方向中心線が略ハの字状をなすように配した場合についても、ハの字の開口方向はどちら側であってもよい。
【００３３】
さらに、上述した実施形態に係るワゴン以外に、例えば、左右両端部に係合凸部たる係合爪を有する第１の部材たる棚板と、前記係合爪と係合可能な受け部たるスリットを有する第２の部材たる枠構造体とを有する棚に本発明を適用してもよい。
【００３４】
加えて、前記第１の部材を前記第２の部材に対して挿抜不能に取り付ける部位に本発明を適用してもよい。
【００３５】
その他、係合凸部として係合爪以外、例えば係止突起を採用するとともに、受け部としてスリット以外、例えば係止突起を圧入することにより係止突起との間の複数箇所に摩擦力を発生させるように形成した係止凹部を採用する等、本発明の趣旨を損ねない範囲で種々に変形してよい。
【符号の説明】
【００３６】
２…棚板（第２の部材）
２１ａ…前スリット（受け部）
２１ｂ…後スリット（受け部）
３…背板（第２の部材）
３１ａ…上スリット（受け部）
３１ｂ…下スリット（受け部）
４…仕切り板（第１の部材）
４２…第１の取付爪（係合凸部）
４３…第２の取付爪（係合凸部）
【図１】
2012095915.tif 000003
【図２】
2012095915.tif 000004
【図３】
2012095915.tif 000005
【図４】
2012095915.tif 000006
【図５】
2012095915.tif 000007
【図６】
2012095915.tif 000008
【図７】
2012095915.tif 000009